(57)【要約】【課題】同期コードが正確に検出されない場合であっても、データを再生することが出来る再生装置および再生方法を提供する。【解決手段】固定周波数によって繰り返されるパターン信号が記録されたフィールドにおいて、そのパターンの最小単位の整数倍が１バイト単位となるように再生データが記録された記録媒体の再生装置であって、パターン信号から最小単位パターンを検出する検出手段１８Ａ１と、パターン信号に続く同期コードを判定し、同期コードに続くデータの先頭タイミングを予測する同期コード判定手段１８Ａ５と、検出手段１８Ａ１によって検出された最小単位パターンから、整数個の位相パターン信号を形成するパターン形成手段１８Ａ２、１８Ａ３、１８Ａ４と、整数個の位相パターン信号のそれぞれと、判定手段によって予測されたデータの先頭タイミングとが一致するか否かを判定するタイミング一致判定手段１８Ａ７と、を有する再生装置。【選択図】図２
2009181658.tif 000002
【特許請求の範囲】
【請求項１】
固定周波数によって繰り返されるパターン信号が記録されたフィールドにおいて、そのパターンの最小単位の整数倍が１バイト単位となるように再生データが記録された記録媒体の再生装置であって、
前記パターン信号から最小単位パターンを検出する検出手段と、
前記検出手段によって検出された最小単位パターンから、整数個の位相パターン信号を形成するパターン形成手段と、
前記パターン信号に続く同期コードを判定し、前記同期コードに続くデータの先頭タイミングを予測する同期コード判定手段と、
前記整数個の位相パターン信号のそれぞれと、前記判定手段によって予測された前記データの先頭タイミングとが一致するか否かを判定するタイミング一致判定手段と、を有する再生装置。
【請求項２】
前記同期コード判定手段は、前記同期コードの判定結果から予測された前記データの先頭タイミングの、前のタイミングと後のタイミングとの少なくとも一方も前記データの先頭タイミングであると予測する補正手段を有している請求項１記載の再生装置。
【請求項３】
前記記録媒体に記録された前記再生データは８−１２変調方式で変調されたデータである請求項１又は請求項２記載の再生装置。
【請求項４】
固定周波数によって繰り返されるパターン信号が記録されたフィールドにおいて、そのパターンの最小単位の整数倍が１バイト単位となるように再生データが記録された記録媒体の再生方法であって、
前記パターン信号から最小単位パターンを検出する検出ステップと、
前記検出ステップにおいて検出された最小単位パターンから、整数個の位相パターン信号を形成する位相パターン形成ステップと、
前記パターン信号に続く同期コードを判定し、前記同期コードに続くデータの先頭タイミングを予測する同期コード判定ステップと、
前記整数個の位相パターン信号のそれぞれと、前記判定ステップにおいて予測された前記データの先頭タイミングとが一致するか否かを判定するタイミング一致判定ステップと、を有する再生方法。
【請求項５】
前記同期コード判定ステップは、前記同期コードの判定結果から予測された前記データの先頭タイミングの、前のタイミングと後のタイミングとの少なくとも一方も前記データの先頭タイミングであると予測する補正ステップをさらに有している請求項４記載の再生方法。
【発明の詳細な説明】
【技術分野】
【０００１】
本発明は、再生装置、および、再生装置における再生方法に関し、特に、光ディスク再生装置、および、光ディスク再生装置における再生方法に関する。
【背景技術】
【０００２】
デジタル映像を蓄積可能な記録媒体として、ＣＤ（Compact Disc）系、ＤＶＤ（Digital Versatile Disk）系、またはＨＤ ＤＶＤ(High Definition Digital Versatile Disk)系の再生専用あるいは記録型光ディスクが用いられている。
【０００３】
例えば、ＨＤ ＤＶＤ系のディスクのデータセグメントは、ＶＦＯ（可変周波数オシレータ）フィールド、データフィールド、ポスタンブルフィールド（Postamble field）、リザーブドフィールド、バッファーフィールドからなる。ＶＦＯフィールド内は、７Ｅｈである。変調パターンは、“０１０００１０００１００”の繰り返しである。VFOフィールドに続くデータフィールドの先頭には、同期コード（SYNCコード）が割り当てられ、この同期コードに続いてデータが割り当てられている。
【０００４】
例えば、上記のようなＨＤ ＤＶＤ系のディスクに記録された再生データを再生する場合、再生装置は、再生クロックを用いて、ＶＦＯフィールドから得られる繰り返しパターンを再生し、周波数を合わせる。次に、再生装置は同期コードを再生し、再生データの位相同期をとるとともに、同期コードに続くデータの先頭タイミングを検出する。先頭タイミングが検出されると、再生装置はその先頭タイミングに対応するチャネルビットがデータの先頭であると判断し、データを復調する。
【０００５】
従来、同期コードを検出する際に、検出ウィンドウをフルオープンにして同期コードを検出し、再生データの頭出しを行うディスク再生装置およびディスク再生方法が提案されている（特許文献１参照）。
【特許文献１】特開２００６−２９４１８３号公報
【発明の開示】
【発明が解決しようとする課題】
【０００６】
しかし、上記のようにデータを再生する場合には、同期コードを再生して、データの位相同期をとるとともに、再生データの先頭タイミングを検出するために、同期コードの読取りが不安定になると、データの先頭タイミングの検出が困難となり、データを再生することが出来ない場合があった。
【０００７】
本発明は上記の問題点に鑑みて成されたものであって、データの位相同期をとることが容易であって、同期コードが正確に検出されない場合であってもデータを再生することが出来る再生装置および再生方法を提供することを目的とする。
【課題を解決するための手段】
【０００８】
本発明の第１態様に係る再生装置は、固定周波数によって繰り返されるパターン信号が記録されたフィールドにおいて、そのパターンの最小単位の整数倍が１バイト単位となるように再生データが記録された記録媒体の再生装置であって、前記パターン信号から最小単位パターンを検出する検出手段と、前記検出手段によって検出された最小単位パターンから、整数個の位相パターン信号を形成するパターン形成手段と、前記パターン信号に続く同期コードを判定し、前記同期コードに続くデータの先頭タイミングを予測する同期コード判定手段と、前記整数個の位相パターン信号のそれぞれと、前記判定手段によって予測された前記データの先頭タイミングとが一致するか否かを判定する一致判定手段と、を有する。
【０００９】
本発明の第２態様に係る再生方法は、固定周波数によって繰り返されるパターン信号が記録されたフィールドにおいて、そのパターンの最小単位の整数倍が１バイト単位となるように再生データが記録された記録媒体の再生方法であって、前記前記パターン信号から最小単位パターンを検出する検出ステップと、前記検出ステップにおいて検出された最小単位パターンから、前記整数個の位相パターン信号を形成する位相パターン形成ステップと、前記パターン信号に続く同期コードを判定し、前記同期コードに続くデータの先頭タイミングを予測する同期コード判定ステップと、整数個の位相パターン信号のそれぞれと、前記判定ステップにおいて予測された前記データの先頭タイミングとが一致するか否かを判定する一致判定ステップと、を有する。
【発明の効果】
【００１０】
本発明によれば、データの位相同期をとることが容易であって、同期コードが正確に検出されない場合であってもデータを再生することが出来る再生装置および再生方法を提供することができる。
【発明を実施するための最良の形態】
【００１１】
以下に、本発明の第１実施形態に係る再生装置および再生方法について図面を参照して説明する。なお、本実施形態に係る再生装置は、光ディスクに記録されたデータを再生する光ディスク装置である。
【００１２】
図１は、本発明の第１実施形態に係る光ディスク装置を示すブロック図である。光ディスク２はＣＤ系、ＤＶＤ系、またはＨＤ ＤＶＤ系の再生専用あるいは記録型光ディスクである。
【００１３】
例えばＤＶＤ系では、再生専用型のＤＶＤ−Ｖｉｄｅｏ、ＤＶＤ−ＲＯＭ(Read Only Memory)、記録型のＤＶＤ−Ｒ（Recordable）／ＲＷ（Rewritable）／ＲＡＭ（Random Access Memory）等がある。本実施形態に係る再生装置では、光ディスク２として、固定周波数によって繰り返されるパターンフィールドにおいて、繰り返されるパターンの最小単位の整数倍が１バイト単位となるように再生データが記録された光ディスクを用いる。
【００１４】
例えば、光ディスク２がＨＤ ＤＶＤ系の光ディスクの場合、再生データは８−１２変調方式で変調されて光ディスク２に記録され、１バイトは１２チャネルビットである。図２に示すように、ＨＤ ＤＶＤ系の光ディスクのデータセグメントは、ＶＦＯ（可変周波数オシレータ）フィールド、データフィールド、ポスタンブルフィールド（Postamble field）、リザーブドフィールド、バッファーフィールドからなる。ＶＦＯフィールド内は、７Ｅｈである。変調パターンは、“０１０００１０００１００”の繰り返しである。
【００１５】
この光ディスク２に記録された信号のうち、固定周波数によって繰り返されるパターンフィールド、例えば、ＶＦＯフィールドでは、１バイト単位内で、最小単位パターンである４チャネルビットのパターン‘０１００’が３回繰り返される。すなわち、この場合、最小単位パターン ‘０１００’の３倍が、光ディスク２に記録された再生データの１バイト単位となる。
【００１６】
また、光ディスク２がＤＶＤ−ＲＡＭディスクの場合、再生データは８−１６変調方式で変調されて光ディスク２に記録され、１バイトは１６チャネルビットである。この光ディスク２に記録された信号のうち、固定周波数によって繰り返されるパターンフィールド、例えばＶＦＯフィールドでは、１バイト単位内で、最小単位パターンである４ビットのパターン‘１０００’が４回繰り返される。すなわち、この場合、最小単位パターン‘１０００’の４倍が、光ディスク２に記録された信号の１バイト単位となる。
【００１７】
光ディスク２はディスクモータ３によって回転駆動される。ディスクモータ３はディスクモータ制御回路４によって制御されている。光ディスク２に対する情報の記録、再生は、光ピックアップ５によって行われる。光ピックアップ５には、対物レンズ６が設けられており、対物レンズ６はフォーカシングアクチュエータ７の駆動によりフォーカスシング方向（レンズの光軸方向）への移動が可能で、またトラッキングアクチュエータ８の駆動によりトラッキング方向（レンズの光軸と直交する方向で光ディスクの径方向）への移動が可能である。
【００１８】
記録データ生成回路９は情報記録時にホスト装置２５からインターフェース回路２４を介して供給されるデータにエラー訂正コードを付加し、同期コードなどをつけて記録フォーマットの形式に変更し、さらに変調し、変調されたデータをレーザ制御回路１０へ提供する。レーザ制御回路１０は情報記録時（マーク形成時）に、記録データ生成回路９から供給されるデータに基づいて、書き込み用信号を光ピックアップ５内のレーザダイオード１１に供給する。
【００１９】
レーザダイオード１１は、波長が約７８０ｎｍ（nano meter）のＣＤ用のレーザダイオード１１ａ、波長は約６５０ｎｍのＤＶＤ用のレーザダイオード１１ｂ、波長が約４０５ｎｍのＨＤ ＤＶＤ用のレーザダイオード１１ｃがあり、光ディスク装置に装着された光ディスクの種類によって使い分けられ、レーザ制御回路１０から供給される信号に応じて選択されてレーザ光を出射する。
【００２０】
レーザダイオード１１から発せられるレーザ光は、光学部１２、対物レンズ６を介して光ディスク２上に照射される。レーザダイオード１１から発せられるレーザ光の光ディスク２からの反射光は、対物レンズ６、光学部１２を介して光検出器１３に導かれる。光検出器１３からの出力信号は、ＲＦアンプ１４へ供給される。
【００２１】
ＲＦアンプ１４は、光検出器１３からの検出信号を処理し、ジャストフォーカスからの誤差を示すフォーカス誤差信号（ＦＥ信号）、レーザ光のビームスポット中心とトラック中心との誤差を示すトラッキング誤差信号（ＴＥ信号）、および再生信号（ＲＦ信号）を生成し、生成されたＦＥ信号、ＴＥ信号、およびＲＦ信号をＡ／Ｄ変換器１５に供給する。
【００２２】
ＲＦアンプ１４は、光検出器１３からの検出信号を処理する際、使用されるレーザダイオード１１の種類に応じて信号を生成する時のパラメータをそれぞれの適切な値に設定して上記信号を生成する。Ａ／Ｄ変換器１５から出力された信号はバス２０を介してＣＰＵ（Central Processing Unit）２１等に供給される。
【００２３】
フォーカス・トラッキング制御回路１６は、Ａ／Ｄ変換器１５から供給されたＦＥ信号及びＴＥ信号に応じてフォーカス制御信号及びトラッキング制御信号を生成し、フォーカシングアクチュエータ７及びトラッキングアクチュエータ８に出力し対物レンズ６を駆動する。これにより、レーザ光が光ディスク２の情報記録面上に常時ジャストフォーカスとなるフォーカシングサーボ、及びレーザ光が光ディスク２上に形成されたトラック上を常にトレースするトラッキングサーボが行われる。
【００２４】
ＲＦ信号は、Ａ／Ｄ変換器１５でデジタル信号に変換されチャネルビットのデータとしてＰＬＬ回路１７に供給される。ＰＬＬ回路１７は、Ａ／Ｄ変換器１５から供給されるデータからデータに同期した再生クロックとチャネルビット単位の再生データを生成し、データ再生回路１８に出力する。データ再生回路１８ではフォーマットを解読して、再生データを復調してバイトデータを再生し、再生されたデータはエラー訂正回路１９へ出力される。本実施形態に係る再生装置では、データ再生回路１８は、再生タイミング検出部１８Ａを有している。
【００２５】
再生タイミング検出部１８Ａは、再生データに含まれる繰り返しパターンの最小単位を検出するパターン検出回路と、このパターン検出回路で検出された最小単位パターンから複数の位相パターンを生成するパターン生成回路と、VFOフィールドに続く同期コードとメモリ等に記憶された複数の同期コードパターンとが一致するか否かを判定し、一致した同期コードパターンから同期コードに続くデータの先頭タイミングを予測する一致判定回路と、パターン生成回路の出力と一致判定回路の出力とからデータの先頭タイミングを判定するタイミング一致判定部と、タイミング判定部の出力を用いて再生データを復調する復調回路と、を有している。
【００２６】
ここで、パターン生成回路は、１バイト単位に含まれる繰り返しパターンの最小単位の数だけ位相パターンを生成する。したがって、例えば、光ディスク２がＨＤ ＤＶＤ系の場合には３つの位相パターンが生成され、光ディスク２がＤＶＤ−ＲＡＭの場合には４つの位相パターンが生成される。
【００２７】
図３には、光ディスク２としてＨＤ ＤＶＤ系ディスクを用いる再生装置の再生タイミング検出部１８Ａを示している。すなわち、図３に示す再生装置の再生タイミング検出部１８Ａは、０１００パターン検出回路１８Ａ１、パターンＡ生成回路１８Ａ２、パターンＢ生成回路１８Ａ３、パターンＣ生成回路１８Ａ４、同期コードパターン一致判定回路１８Ａ５、タイミング一致判定部１８Ａ７、および、８−１２復調回路１８Ａ８を有している。
【００２８】
０１００パターン検出回路１８Ａ１は、ＰＬＬ回路１７から送信された再生データのＶＦＯフィールドから‘０１００’パターンを検出する。パターンＡ生成回路１８Ａ２は、０１００パターン検出回路１８Ａ１から出力された０１００パターン信号から、例えばｎを整数としたときに３ｎ番目の０１００パターンを抽出し、図３に示すようにその０１００パターンの最初の‘０’のタイミングにハイレベルとなるパターンＡ信号を生成する。
【００２９】
パターンＢ生成回路１８Ａ３は、０１００パターン検出回路１８Ａ１から出力された０１００パターン信号から、例えば３ｎ＋１番目の０１００パターンを抽出し、図３に示すようにその０１００パターンの最初の‘０’のタイミングにハイレベルとなるパターンＢ信号を生成する。
【００３０】
パターンＣ生成回路１８Ａ４は、０１００パターン検出回路１８Ａ１から出力された０１００パターン信号から、例えば３ｎ＋２番目の０１００パターンを抽出し、図３に示すようにその０１００パターンの最初の‘０’のタイミングにハイレベルとなるパターンＣ信号を生成する。
【００３１】
同期コードパターン一致判定回路１８Ａ５は、例えばメモリに記憶された複数の同期コードパターン１８Ａ６を参照し、再生データに含まれる同期コードと複数の同期コードパターン１８Ａ６のそれぞれとが一致するか否かを判定する。
【００３２】
なお、同期コードパターン一致判定回路１８Ａ５は、再生データに含まれる同期コードの１３Ｔ−３Ｔパターン（例えば図４に示す‘１００００００００００００１００１’）と、例えばメモリに記憶された複数の１３Ｔ−３Ｔパターンとのそれぞれとが一致するか否か判定するように構成されていてもよい。
【００３３】
同期コードパターン一致判定回路１８Ａ５は、複数の同期コードパターン１８Ａ６と再生データに含まれる同期コードとが一致したと判断した際には、その同期コードパターンから同期コードに続くデータの先頭タイミングを予測し、データの先頭タイミングでハイレベルとなるパターン一致パルスを出力する。
【００３４】
再生データが、図４に示すような同期コードを含む場合、同期コードパターン一致判定回路１８Ａ５は、再生データの同期コードが複数の同期コードパターン１８Ａ６の内の‘１００＃００１００００００００００００１００１’（＃はそれぞれのセクタによって変わる値）と一致すると判定し、その同期コードパターンの次のチャネルビットに対応するタイミングをデータの先頭タイミングと予測する。
【００３５】
ここで、同期コードパターン一致判定回路１８Ａ５は、図４に示すように、再生データの同期コードの次のチャネルビットの前後のチャネルビットに対応するタイミングも先頭タイミングと予測し、これらのタイミングにおいてもパターン一致パルスがハイレベルとなるように出力するように構成されてもよい。図４に示す場合では、パターン一致パルスは、同期コードの最後のチャネルビットを先頭とする３チャネルビットに対応するタイミングにおいてハイレベルとなっている。
【００３６】
タイミング一致判定部１８Ａ７には、パターンＡ信号、パターンＢ信号、パターンＣ信号、パターン一致パルス、および、再生クロックが入力されている。タイミング一致判定部１８Ａ７は、パターンＡ信号とパターン一致パルスとが入力される論理和回路ＡＣ１、パターンＢ信号とパターン一致パルスとが入力される論理和回路ＡＣ２、パターンＣ信号とパターン一致パルスとが入力される論理和回路ＡＣ３、および、パターン一致パルスと再生クロックとが入力される論理和回路ＡＣ４を有している。
【００３７】
論理和回路ＡＣ１の出力は、ラッチ回路ＦＦ１に入力される。論理和回路ＡＣ２の出力は、ラッチ回路ＦＦ２に入力される。論理和回路ＡＣ３の出力は、ラッチ回路ＦＦ３に入力される。論理和回路ＡＣ４の出力は、ラッチ回路ＦＦ１、ＦＦ２、ＦＦ３のそれぞれに入力される。
【００３８】
タイミング一致判定部１８Ａ７は、さらに、ラッチ回路ＦＦ１の出力とパターンＡ信号とが入力される論理和回路ＡＣ５、ラッチ回路ＦＦ２の出力とパターンＢ信号とが入力される論理和回路ＡＣ６、ラッチ回路ＦＦ３の出力とパターンＣ信号とが入力される論理和回路ＡＣ７、および、論理和回路ＡＣ５、ＡＣ６、ＡＣ７の出力が入力される論理積回路ＯＣ１とを有している。
【００３９】
論理積回路ＯＣ１の出力は、バイトタイミング信号として８−１２復調回路１８Ａ８に入力される。８−１２復調回路１８Ａ８では、バイトタイミング信号がハイレベルとなるタイミングをデータの先頭タイミングとし、データを復調してエラー訂正回路１９に出力する。
【００４０】
エラー訂正回路１９では再生データに付与されているエラー訂正コードを用いてエラー訂正を行った後、インターフェース回路２４を介してホスト装置２５に出力される。
【００４１】
ディスクモータ制御回路４、変調回路９，レーザ制御回路１０、Ａ／Ｄ変換回路１５、フォーカス・トラッキング制御回路１６、ＰＬＬ回路１７、データ再生回路１８、エラー訂正回路１９等は、バス２０を介してＣＰＵ（Central Processing Unit）２１によって制御される。
【００４２】
ＣＰＵ２１はインターフェース回路２４を介してホスト装置２５から供給される動作コマンドに従って、この光ディスク記録再生装置１を総合的に制御する。また、ＣＰＵ２１は、ＲＡＭ（Random Access Memory）２２を記録再生時のバッファメモリ等の作業エリアとして使用し、ＲＯＭ（Read Only Memory）２３に記憶されたプログラムに従った所定の制御を行う。
【００４３】
次に、上記の再生装置における再生方法について図面を参照して説明する。本実施形態に係る再生方法は、固定周波数によって繰り返されるパターン信号が記録されたフィールドにおいて、そのパターンの最小単位の整数倍が１バイト単位となるように再生データが記録された記録媒体の再生方法である。
【００４４】
本実施形態に係る再生方法では、まず、パターン信号から最小単位パターンを検出し、検出された最小単位パターンから、整数個の位相パターン信号を形成し、パターン信号に続く同期コードを判定し、この同期コードに続くデータの先頭タイミングを予測し、最小単位パターンから形成された整数個の位相パターン信号のそれぞれと、予測されたデータの先頭タイミングとが一致するか否かを判定し、予測されたデータの先頭タイミングと一致する位相パターンをバイトタイミングとしてデータを復調する。
【００４５】
すなわち、図２に示すような再生タイミング検出部１８Ａを有する再生装置における再生方法の場合、図６に示すように、データ再生回路１８に再生データが入力されると、再生データのＶＦＯフィールドの信号が再生される（ステップＳＴ１）。すなわち、データ再生回路１８の０１００パターン検出回路では、ＶＦＯフィールドの信号を再生してＰＬＬ周波数を合わせるともに、最小単位パターンである０１００パターンを検出する。
【００４６】
０１００パターン検出回路１８Ａ１で検出された０１００パターンに基づいて、パターンＡ生成回路１８Ａ２、パターンＢ生成回路１８Ａ３、および、パターンＣ生成回路１８Ａ４で、３種類の位相パターン、すなわち、図４に示すようなパターンＡ信号、パターンＢ信号、および、パターンＣ信号が生成される（ステップＳＴ２）。
【００４７】
次に、データ再生回路１８では、再生データに含まれる同期コードが再生される（ステップＳＴ３）。すなわち、再生タイミング検出部１８Ａの同期コードパターン一致判定回路１８Ａ５に再生データが入力され、同期コードパターン一致判定回路１８Ａ５で、再生データに含まれる同期コードと、複数の同期コードパターンとのそれぞれが一致するか否かを判定し、一致した同期コードパターンから同期コードの次のチャネルビットをデータの先頭と予測し、このチャネルビットに対応するタイミングにおいてハイレベルとなるパターン一致パルスを出力する。
【００４８】
なお、このときに、同期コードの次のチャネルビットおよびその前後のチャネルビットをデータの先頭と予測し、これらのチャネルビットに対応するタイミングにおいてハイレベルとなるパターン一致パルスを出力してもよい。
【００４９】
次に、パターンＡ信号、パターンＢ信号、およびパターンＣ信号のタイミングうち、同期コードパターン一致判定回路１８Ａ５でデータの先頭タイミングと予測したタイミングと一致するものを選択する（ステップＳＴ４）。
【００５０】
例えば、図４に示す場合では、パターン一致パルスがハイレベルとなるタイミングとパターンＡ信号がハイレベルとなるタイミングとが一致している。したがって、タイミング一致判定部１８Ａ７は、パターンＡ信号がハイレベルであって、パターン一致パルスがハイレベルとなるタイミングにおいてハイレベルとなる信号をバイトタイミングとして出力する。バイトタイミングが８−１２復調回路１８Ａ８に入力されると、８−１２復調回路１８Ａ８はバイトタイミングが再生データに含まれるデータの先頭タイミングと判断し、データが復調される。
【００５１】
すなわち、上記のように、ＶＦＯフィールドを再生する段階において、ＶＦＯフィールドから最小単位パターンを検出し、検出された最小単位パターンから、整数個の位相パターン信号を形成することにより、同期コードを再生する際に位相同期をとることが容易となる再生装置および再生方法を提供することができる。
【００５２】
次に、図５に示す場合の再生方法について説明する。すなわち、図５に示す場合では、再生した同期コードに誤りがあった場合である。この場合、図４に示す場合と同様に、データ再生回路１８に再生データが入力されると、再生データのＶＦＯフィールドの信号が再生される（ステップＳＴ１）。０１００パターン検出回路１８Ａ１で検出された０１００パターンに基づいて、パターンＡ生成回路１８Ａ２、パターンＢ生成回路１８Ａ３、および、パターンＣ生成回路１８Ａ４で、３種類の位相パターン、すなわち、図５に示すようなパターンＡ信号、パターンＢ信号、および、パターンＣ信号が生成される（ステップＳＴ２）。
【００５３】
次に、データ再生回路１８で、再生データに含まれる同期コードが再生される（ステップＳＴ３）と、同期コードパターン一致判定回路１８Ａ５で、再生データに含まれる同期コードと、複数の同期コードパターンとのそれぞれが一致するか否かを判定し、一致した同期コードパターンから同期コードの次のチャネルビットおよびその前後のチャネルビットをデータの先頭と予測し、これらのチャネルビットに対応するタイミングにおいてハイレベルとなるパターン一致パルスを出力する。
【００５４】
ここで、図５に示すように、再生された同期コードに誤りがあり、再生データの同期コードの１３Ｔ−３Ｔパターンが１ビット前にずれたタイミングの信号となっている。この場合、同期コードパターン一致判定回路１８Ａ５で予測されるデータの先頭タイミングは、実際のデータの先頭タイミングよりも１チャネルビット前のタイミングとなる。
【００５５】
このような場合であっても、本実施形態に係る再生方法では、図５に示すように、同期コードパターン一致判定回路１８Ａ５から出力されるパターン一致パルスは、同期コードパターンから予測したデータの先頭の前後のチャネルビットに対応するタイミングにおいても、ハイレベルとなっている。
【００５６】
そのため、図５に示すように再生した同期コードに誤りがあった場合でも、パターンＡ信号、パターンＢ信号、およびパターンＣ信号のタイミングうち、同期コードパターン一致判定回路１８Ａ５でデータの先頭と予測したタイミングと一致するものを選択する（ステップＳＴ４）することによって、データの先頭タイミングを正しく選択することができる。
【００５７】
例えば、図５に示す場合では、パターン一致パルスがハイレベルとなるタイミングと、パターンＡ信号がハイレベルとなるタイミングとが一致している。したがって、タイミング一致判定部１８Ａ７は、パターンＡ信号がハイレベルであって、タイミング一致パルスがハイレベルとなるタイミングにおいてハイレベルとなる信号をバイトタイミングとして出力する。バイトタイミングが８−１２復調回路１８Ａ８に入力されると、８−１２復調回路１８Ａ８はバイトタイミングが再生データに含まれるデータの先頭タイミングと判断し、データが復調される。
【００５８】
つまり、上記のように再生すると、図５に示す場合のように、再生された同期コードに誤りがある場合であっても、図４に示す場合と同様に、パターンＡ信号がハイレベルとなるタイミングをデータの先頭タイミングとして選択し、正しいタイミングでデータを再生することができる。
【００５９】
上記のことから、本実施形態に係る再生装置および再生方法によれば、パターン信号を再生する段階において、パターン信号から最小単位パターンを検出し、検出された最小単位パターンから、整数個の位相パターン信号を形成することにより、同期コードを再生する際に位相同期をとることが容易となる再生装置および再生方法を提供することができる。さらに、同期コードが正確に検出されない場合であっても、データを再生することが出来る再生装置および再生方法を提供することができる。
【００６０】
なお、VFOフィールドの次に同期コードがある場合は、本発明による方式でビット及びバイトの同期を取るが、データ中に同期コードがあるフィールドでは従来通りに同期コードでビット及びバイトの同期を取るものとする。また、VFOフィールドに欠陥があってパターンＡ，Ｂ，Ｃが正しく生成されない場合は、従来通りに同期コードでビット及びバイトの同期を取るものとする。
【００６１】
なお、この発明は、上記実施形態そのままに限定されるものではなく、実施段階ではその要旨を逸脱しない範囲で構成要素を変形して具体化できる。例えば、上記の実施形態では、光ディスク２としてＨＤ ＤＶＤ系のディスクを用いた場合を例に説明をしたが、他の光ディスク等の記録媒体を用いた場合であっても、固定周波数によって繰り返されるパターンフィールドにおいて、繰り返されるパターンの最小単位の整数倍が１バイト単位となるように記録された記録媒体を再生する再生装置、およびその再生方法であれば本発明を適用することができる。
【００６２】
また、上記の実施形態に係る再生装置および再生方法では、同期コードの次のチャネルビットに対応するタイミングだけでなく、その前後１チャネルビットに対応するタイミングも先頭タイミングと予測して、これらのタイミングにハイレベルとなる信号をパターン一致パルスとしている。
【００６３】
しかし、予測される先頭タイミングとするタイミングには、少なくとも同期コードの次のチャネルビットに対応するタイミングが含まれていればよく、その前後のチャネルビットに対応するタイミングは、ＶＦＯフィールドから検出される最小単位パターンの長さ（ビット数）や同期コードの配列に応じて、適宜、先頭タイミングとして扱うか否かを変更してもよい。
【００６４】
例えば、先頭タイミングは、同期コードの次のチャネルビットに対応するタイミングと、その前の１チャネルビットに対応するタイミングと予測してもよく、同期コードの次のチャネルビットに対応するタイミングと、その後の１チャネルビットに対応するタイミングと予測してもよい。さらに、最小単位パターンの長さに応じて、同期コードの次のチャネルビットに対応するタイミングと、その前後２以上のチャネルビットに対応するタイミングを先頭タイミングと予測してもよい。
【００６５】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６６】
【図１】本発明の一実施形態に係る再生装置の一構成例を概略的に示すブロック図。
【図２】記録媒体に記録されたデータのレイアウトの一例を説明するための図。
【図３】図１に示す再生装置の再生タイミング検出部の一構成例を概略的に示すブロック図。
【図４】本発明の一実施形態に係る再生方法の一例を説明するためのタイミングチャート。
【図５】本発明の一実施形態に係る再生方法の他の例を説明するためのタイミングチャート。
【図６】本発明の一実施形態に係る再生方法の一例を説明するためのフローチャート。
【符号の説明】
【００６７】
１…再生装置、１８Ａ１…検出手段、１８Ａ５…同期コード判定手段、１８Ａ２、１８Ａ３、１８Ａ４…パターン形成手段、１８Ａ７…タイミング一致判定手段１８Ａ７。
【図１】
2009181658.tif 000003
【図２】
2009181658.tif 000004
【図３】
2009181658.tif 000005
【図４】
2009181658.tif 000006
【図５】
2009181658.tif 000007
【図６】
2009181658.tif 000008